(57)【要約】【課題】  既設ドア枠の開口をそのまま維持して，該開口の狭小化がなく，簡易な構造にして改装工事が可及的に容易な改装ドアを提供する。【解決手段】  既設ドア枠１０のドア受段部１３を基準位置として，その室外側のみを改装部位とし，その室内側をそのまま露出残存させることによって既設ドア枠１０のドア枠開口を狭小化することなく，その改装を行う。既設ドア枠１０の改装部位には，その室外側見付面１１，室外側見込面１２，ドア受段部１３に沿う形状とするように被覆見付面２１，被覆見込面２２，気密材受２３を有する新設ドア枠２０を直付け又はライナー２９を介して被覆設置する。このとき気密材受２３の起立条２６を既設ドア枠１０の室内側見込面１４と面一に配置することによって既設ドア枠１０のドア開口をそのまま維持して，その狭小化を解消する。【選択図】  図２
2008133693.tif 000002
【特許請求の範囲】
【請求項１】
既設ドア枠の見込方向中間に位置するドア受段部を改装の基準位置とし，該基準位置の室外側を改装部位，その室内側を非改装部位とする室内外に２区分し，該室内側の非改装部位を露出残存する一方，上記室外側の改装部位に新設ドア枠を内嵌配置するとともに該新設ドア枠の室内端に設置した気密材受溝を上記ドア受段部に重合状に配置し且つ該気密材受溝をドア枠開口の面内側で画する起立条を上記露出残存した非改装部位の室内側見込面と面一乃至略面一に配置することによって，改装前後で既設ドア枠開口を不変に維持してなることを特徴とする部分被覆の改装ドア枠。
【請求項２】
上記新設ドア枠を，上記既設ドア枠の室外側の改装部位に沿ってこれを被覆する室外側の被覆見付面と，該被覆見付面から上記基準位置のドア受段部に至る被覆見込面と，該被覆見込面からドア枠開口面内側に突出配置して先端に起立条を有する気密材受溝とを備えて形成し，上記被覆見付面を上記改装部位の室外側見付面より室外側に突出配置し，上記被覆見込面を上記改装部位の基準位置に至る見込面に直付け又はライナーを介して重合配置し且つ上記気密材受溝をドア受段部に直付け又はライナーを介して重合配置してなることを特徴とする請求項１に記載の部分被覆の改装ドア枠。
【請求項３】
上記新設ドア枠の気密材受溝を，該新設ドア枠の室内側先端を折曲した折曲部と，該折曲部の先端を室外側に向けて折曲した上記起立条とを備えて新設ドア枠と一体成形してなることを特徴とする請求項２に記載の部分被覆の改装ドア枠。
【請求項４】
上記新設ドア枠の気密材受溝を，該新設ドア枠の室内側先端を折曲した折曲部と，該折曲部に重合する重合部と該重合部から室外側に向けて折曲した上記起立条とを備えた断面Ｌ字状補助部材とによって形成してなることを特徴とする請求項２に記載の部分被覆の改装ドア枠。
【発明の詳細な説明】
【技術分野】
【０００１】
本発明はドア改装に関し，特にその既設ドア枠に新設ドア枠を部分被覆して改装した部分被覆の改装ドア枠に関する。
【背景技術】
【０００２】
ドア改装における改装ドア枠は，サッシ改装（サッシ枠改装）に準じて，既設ドア枠を新設ドア枠によって被覆するようにした所謂カバー工法が一般に採用されているところ，該カバー工法の最大の欠点は，改装後のドア枠開口が既設ドア枠に比較して狭小化する点にある。サッシ改装の場合と異なり，ドア開口は，人の出入りや家具の出し入れに使用するために，この狭小化を避ける必要があり，例えば下記特許文献１の提案に係るカバー工法によるものは，取付作業を簡易化することを課題としてなされたものであるが，従前のドア改装に比して狭小化を可及的に防止し得るものとして評価される。
【０００３】
即ち，これによれば，既設ドア枠における室外側見付面からドア受段部の室内側見込面に至る部位を被覆する室外側一方の新規ドア枠と，該一方の新規ドア枠に上記室内側見込面位置で重合し且つ上記ドア受段部を超えて室外側に突出した先端部によって該一方の新規ドア枠の折曲部とともに気密材受溝を形成して既設ドア枠の室内側見込面を被覆する室内側他方の新規ドア枠とによる室内外一対にしてそれぞれ上下左右に略同一断面形状とするように寸法を共通化した新規一対のドア枠を用いて，既設ドア枠の室外側の見付面と，該見付面からドア受段部に至る断面Ｌ字状のアンカーを，上枠，吊元側及び戸先側縦枠において既設ドア枠に直付けする一方，下枠において既設ドア枠から上方に浮かし状にそれぞれ設置し，該アンカーを介して上枠，吊元側及び戸先側縦枠において該アンカーとの間にスペースを配置し，下枠において直付状に上記室外側一方の新規ドア枠を固定し，また単一乃至複数枚の合成樹脂製ライナーを既設ドア枠のドア受段部から室内側の見込面に配置して室内側他方の新規ドア枠を固定したものとされている。
【０００４】
【特許文献１】特許第３１９９２８号公報
【発明の開示】
【発明が解決しようとする課題】
【０００５】
この場合，断面Ｌ字状のアンカーを使用して，アンカーが既設ドア枠からその開口側に向けた突出寸法を小さくしたことによって，改装後のドア開口における狭小化が比較的少なくなり，その分ドア開口を広く確保し得ることになる。しかし乍ら，新規ドア枠の室外側一方のドア枠が，上記上下左右に略同一断面形状とするように寸法を共通化したものとされるために，吊元側縦枠に必要とされるヒンジ裏板設置のためのスペースが，上枠及び戸先側縦枠にも形成される上，下枠において上方に浮かし状に設置されるために，該室外側一方のドア枠がドア開口側に突出し，該ドア開口を狭小化することを避けられないし，このとき該室外側一方のドア枠における折曲部が既設ドア枠からドア開口側に突出するために，該折曲部の先端に対接することによって該折曲部と気密材受溝を形成する室内側他方のドア枠もドア開口側に突出して位置させることが必要になり，従ってこの場合，ドア改装前後でドア枠開口は，例えば上下左右に１〜２ｃｍ程度づつ狭小化することになり，特に，ドア開口と同様に旧尺貫法によって寸法設定されて製造されることの多い家具の出し入れに幅寸法が不足する結果となり易く，従ってドア改装として，ドア枠開口の狭小化を解消した改装構造が求められる。
【０００６】
本発明はかかる事情に鑑みてなされたもので，その解決課題とするところは，改装前後でドア枠開口を同一化することによって人の出入りや家具の出し入れ等に影響を与える可能性を解消した改装ドア枠を提供するにある。
【課題を解決するための手段】
【０００７】
上記課題に沿って鋭意検討したところ，既設ドア枠のドア受段部を改装基準として該既設ドア枠の室内外を，室外側の改装部位と室内側の非改装部位に区分し，既設ドア枠における室外側の改装部位に新設ドア枠を設置することにより，鋼製プレスドアの既設ドアに代わる断熱防音性を備えた高機能の新設ドアを吊り支持できること，このとき上記新設ドア枠に気密材を設置することにより，該新設ドアとの間で気密性を確保できること，一方既設ドア枠における非改装部位は，室内側に位置することによって一般に損傷がないから，これを露出残存しても，必要に応じて，例えば塗装，シートをラミネートする等の仕上措置を施すことにより，その構造的変化を齎すことなくドア改装に相応しい外観を確保できること，このとき上記気密材，特に気密材受溝を画する起立条を非改装部位の見込面からドア枠開口側に突出するのを防止することにより，既設ドア枠における非改装部位の開口，即ち既設ドア枠のドア枠開口をそのまま維持して，改装によるドア枠開口の狭小化を解消し，改装前後でドア枠開口を同一化できることによって人の出入り，家具の出し入れを行うドアにおける改装として最適なものとし得ること，このようにドア枠改装を行うことによって，新設ドア枠は既設ドア枠の１／２強程度の見込幅のものとすることができる上，非改装部位を露出残存したことによって改装工事の簡易化と改装コストの低減を可能として，鋼製プレスドアを高機能ドアに換えたいとする市場ニーズに応えてドア枠開口に変更のない最適なドア改装を実現できるとの知見を得た。本発明はかかる知見に基づいてなされたものであって，即ち請求項１に記載の発明を，既設ドア枠の見込方向中間に位置するドア受段部を改装の基準位置とし，該基準位置の室外側を改装部位，その室内側を非改装部位とする室内外に２区分し，該室内側の非改装部位を露出残存する一方，上記室外側の改装部位に新設ドア枠を内嵌配置するとともに該新設ドア枠の室内端に設置した気密材受溝を上記ドア受段部に重合状に配置し且つ該気密材受溝をドア枠開口の面内側で画する起立条を上記露出残存した非改装部位の室内側見込面と面一乃至略面一に配置することによって，改装前後で既設ドア枠開口を不変に維持してなることを特徴とする部分被覆の改装ドア枠としたものである。
【０００８】
請求項２に記載の発明は，上記に加えて，上記新設ドア枠及びその設置形態を，その気密材，特に気密材受溝の起立条がドア枠開口側に突出しないようにするために，アンカーを使用することなく既設ドア枠に直付けし，または既設ドア枠に歪み等の変形があるとき，これに対応するようにライナーを介して重合配置することによって，該新設ドア枠を可及的に既設ドア枠に密着配置して気密材幅を上記ドア受段部内に吸収しうる形態のものとするように，これを，上記新設ドア枠を，上記既設ドア枠の室外側の改装部位に沿ってこれを被覆する室外側の被覆見付面と，該被覆見付面から上記基準位置のドア受段部に至る被覆見込面と，該被覆見込面からドア枠開口面内側に突出配置して先端に起立条を有する気密材受溝とを備えて形成し，上記被覆見付面を上記改装部位の室外側見付面より室外側に突出配置し，上記被覆見込面を上記改装部位の基準位置に至る見込面に直付け又はライナーを介して重合配置し且つ上記気密材受溝をドア受段部に直付け又はライナーを介して重合配置してなることを特徴とする請求項１に記載の部分被覆の改装ドア枠としたものである。
【０００９】
請求項３に記載の発明は，同じく上記に加えて，上記新設ドアの吊り支持には，例えばそのヒンジを既設ドア枠の既存裏板に対して固定することが可能であり，こうすることによって新設ドア枠の肉厚を，この種ドア枠として一般に使用される２ｍｍを下回る程度の比較的薄肉の，例えば１．６ｍｍとすることが可能になるとともにロールフォーミング加工，プレス加工，ベンダー加工等の一般的な成形によって複雑断面形状の，特に気密材受溝を含めた一体成形をなし得て，該新設ドア枠の納まりを良好とするとともにその設置作業を容易化する形態のものとすることが可能となるから，これを，上記新設ドア枠の気密材受溝を，該新設ドア枠の室内側先端を折曲した折曲部と，該折曲部の先端を室外側に向けて折曲した上記起立条とを備えて新設ドア枠と一体成形してなることを特徴とする請求項２に記載の部分被覆の改装ドア枠としたものである。
【００１０】
請求項４に記載の発明は，同じく上記に加えて，新設ドア枠を，２ｍｍを超える程度の比較的厚肉の，例えば２．３ｍｍとする如くに更に厚肉として，該新設ドア枠によって新設ドアの吊り支持を行う形態とすることが可能であるところ，このように厚肉とすると上記一般的な成形によって，複雑断面形状の，特に上記気密材受溝の成形が必ずしも容易ではないケースが生じる上，現場での既設ドア枠の状況によっては新設ドア枠における気密材受溝の起立条がドア枠開口側に突出することが避け得ない場合があることから，特に該気密材受溝を，上記起立条を備えた断面Ｌ字状の補助部材を用いて形成することによってこれらの場合に対応し得る形態とするように，これを，上記新設ドア枠の気密材受溝を，該新設ドア枠の室内側先端を折曲した折曲部と，該折曲部に重合する重合部と該重合部から室外側に向けて折曲した上記起立条とを備えた断面Ｌ字状補助部材とによって形成してなることを特徴とする請求項２に記載の部分被覆の改装ドア枠としたものである。
【００１１】
本発明はこれらをそれぞれ発明の要旨として上記課題解決の手段としたものである。
【発明の効果】
【００１２】
本発明は以上のとおりに構成したから，既設ドア枠のドア受段部を改装基準として該既設ドア枠の室内外を，室外側の改装部位と室内側の非改装部位に区分し，既設ドア枠における室外側の改装部位に新設ドア枠を設置することにより，鋼製プレスドアの既設ドアに代わる断熱防音性を備えた高機能の新設ドアを吊り支持できること，このとき上記新設ドア枠に気密材を設置することにより，該新設ドアとの間で気密性を確保できること，一方既設ドア枠における非改装部位は，室内側に位置することによって一般に損傷がないから，これを露出残存しても，必要に応じて，例えば塗装，シートをラミネートする等の仕上措置を施すことにより，その構造的変化を齎すことなくドア改装に相応しい外観を確保できること，このとき上記気密材，特に気密材受溝を画する起立条を非改装部位の見込面からドア枠開口側に突出するのを防止することにより，既設ドア枠における非改装部位の開口，即ち既設ドア枠のドア枠開口をそのまま維持して，改装によるドア枠開口の狭小化を解消し，改装前後でドア枠開口を同一化できることによって人の出入り，家具の出し入れを行うドアにおける改装として最適なものとし得ること，このようにドア枠改装を行うことによって，新設ドア枠は既設ドア枠の１／２強程度の見込幅のものとすることができる上，非改装部位を露出残存したことによって改装工事の簡易化と改装コストの低減を可能として，鋼製プレスドアを高機能ドアに換えたいとする市場ニーズに応えてドア枠開口に変更のない最適なドア改装を実現し，改装前後でドア枠開口を同一化することによって人の出入りや家具の出し入れ等に影響を与える可能性を解消した改装ドア枠を提供することができる。
【００１３】
請求項２に記載の発明は，上記に加えて，上記新設ドア枠及びその設置形態を，その気密材，特に気密材受溝の起立条がドア枠開口側に突出しないようにするために，アンカーを使用することなく既設ドア枠に直付けし，または既設ドア枠に歪み等の変形があるとき，これに対応するようにライナーを介して重合配置することによって，該新設ドア枠を可及的に既設ドア枠に密着配置して気密材幅を上記ドア受段部内に吸収しうる形態のものとすることができる。
【００１４】
請求項３に記載の発明は，同じく上記に加えて，上記新設ドアの吊り支持には，例えばそのヒンジを既設ドア枠の既存裏板に対して固定することが可能であり，こうすることによって新設ドア枠の肉厚を，この種ドア枠として一般に使用される２ｍｍを下回る程度の比較的薄肉の，例えば１．６ｍｍとすることが可能になるとともにロールフォーミング加工，プレス加工，ベンダー加工等の一般的な成形によって複雑断面形状の，特に気密材受溝を含めた一体成形のものとすることによって，上記新設ドア枠の納まりを良好とするとともにその設置作業を容易化する形態のものとすることができる。
【００１５】
請求項４に記載の発明は，同じく上記に加えて，新設ドア枠を，２ｍｍを超える程度の比較的厚肉の，例えば２．３ｍｍとする如くに更に厚肉として，該新設ドア枠によって新設ドアの吊り支持を行う形態とすることが可能であるところ，このように厚肉とすると上記一般的な成形によって，複雑断面形状の，特に上記気密材受溝の成形が必ずしも容易ではないケースが生じる上，現場での既設ドア枠の状況によっては新設ドア枠における気密材受溝の起立条がドア枠開口側に突出することが避け得ない場合があることから，特に該気密材受溝を，上記起立条を備えた断面Ｌ字状の補助部材を用いて形成することによってこれらの場合に対応し得る形態とすることができる。
【発明を実施するための最良の形態】
【００１６】
以下図面の例に従って本発明を更に具体的に説明すれば，図１乃至図４において，Ａは部分被覆の改装ドア枠，１０はその既設ドア枠，２０は新設ドア枠，３０は該新設ドア枠２０に吊り支持した，断熱防音性を備えた高機能の新設ドアであり，改装ドア枠Ａは，既設ドア枠１０の見込方向中間に位置するドア受段部１３を改装の基準位置とし，該基準位置の室外側を改装部位，その室内側を非改装部位とする室内外に２区分し，該室内側の非改装部位を露出残存する一方，上記室外側の改装部位に新設ドア枠２０を内嵌配置するとともに該新設ドア枠２０の室内端に設置した気密材受溝２３を上記ドア受段部１３に重合状に配置し且つ該気密材受溝２３をドア枠開口の面内側で画する起立条２６を上記露出残存した非改装部位の室内側見込面１４と面一乃至略面一に配置することによって，改装前後で既設ドア枠開口を不変に維持したものとしてある。
【００１７】
即ち改装ドア枠１０，例えばＫＪタイプとして広く用いられた，鋼板をプレス成形することによって断熱性，防音性に欠ける所謂プレスドアを備えた既設ドアから，該プレスドアを撤去して残存した既設ドア枠１０の上記改装部位に同じく鋼製とした新設ドア枠２０を設置するとともに該新設ドア枠２０に新設ドア３０を吊り支持する一方，非改装部位を露出残存して，例えば該非改装部位に塗装，シートのラミネート等の仕上措置を施したものとしてある。
【００１８】
このとき該既設ドア枠１０は，上枠，吊元側及び戸先側の縦枠，下枠を枠組みして上下に長い矩形枠としてあり，このとき各枠はそれぞれ室外側見付面（室外側見付部といってもよい）１１，該見付面１１から室内側に向けた室外側見込面（同じく室外側見込部といってもよい）１２，該見込面１２からドア枠開口側に向けて張出突出し，既設ドア枠１０における同一面上に位置することによって既設ドアの室内側外周に対面する，例えば１５ｍｍ幅程度のドア受段部１３，該段部１３の先端から室内側に向けた室内側見込面（同じく室内側見込部といってもよい）１４，該見込面１４から側方に向けた室内側見付面（同じく室内側見付部といってもよい）１５を屈曲形成して備えたものとしてあり，該既設ドア枠１０は，その各室外側見付面１１及び室内側見付面１５の先端に突設した対向フィンを介して図示省略のアンカーにより建物躯体に固定したものとしてある。
【００１９】
ドア枠改装は，上記同一面上に位置するドア受段部１３を基準位置として，その室外側見込面１２と室内側見込面１４とを区分して，上記室外側見付面１１から該室外側見込面１２及びドア受段部１３までを改装部位として，新設ドア枠２０によって部分被覆する一方，上記室内側見込面１４及び室内側見付面１５を，例えば上記仕上措置を施してそのまま露出残存したものとしてある。
【００２０】
このとき本例の新設ドア枠２０は，これを，上記既設ドア枠１０の室外側の改装部位に沿ってこれを被覆する室外側の被覆見付面（同じく被覆見付部といってもよい）２１と，該被覆見付面２１から上記基準位置のドア受段部１３に至る被覆見込面（同じく被覆見込部といってもよい）２２と，該被覆見込面２２からドア枠開口面内側に突出配置して先端に起立条２６を有する気密材受溝２３とを備えて形成し，上記被覆見付面２１を上記改装部位の室外側見付面１１より室外側に突出配置し，上記被覆見込面２２を上記改装部位の基準位置に至る見込面１２に直付け又はライナー２９を介して重合配置し且つ上記気密材受溝２３をドア受段部１３に直付け又はライナー２９を介して重合配置したものとしてあり，本例にあって上記新設ドア枠２０の気密材受溝２３は，これを，該新設ドア枠２０の室内側先端を折曲した折曲部２４と，該折曲部２４に重合する重合部と該重合部から室外側に向けて折曲した上記起立条２６とを備えた断面Ｌ字状補助部材２５とによって形成したものとしてある。
【００２１】
本例の該新設ドア枠２０は，上記既設ドア枠１０と同様に，上枠，吊元側及び戸先側の縦枠，下枠を，溶着によって，例えば留接合の枠組みを施して上下に長く，上記既設ドア枠１０の改装部位の寸法と新設ドアの厚さ寸法とを加えた寸法よりやや大きく，例えば既設ドア枠１０の見込寸法の１／２乃至２／３程度の見込寸法を有するものとするとともに各枠の肉厚を，２ｍｍを上回る比較的厚肉にして，例えば２．３ｍｍの鋼板を用いることによって枠組みした新設ドア枠２０として高い枠剛性を備えたものとしてあり，このとき各枠は室外側の被覆見付面２１，該見付面２１から室内側に向けた室外側の被覆見込面２２，該見込面２２からドア枠開口側に向けて張出突出し，既設ドア枠１０における同一面上に位置するようにし，本例にあって上記ドア枠段部１３より幅狭にして，例えば７乃至９ｍｍ程度の幅の折曲部２４とを一体成形して備える一方，該折曲部２４とともに気密材受溝２３を形成する上記断面Ｌ字状補助部材２５は，各枠毎に，例えば１ｍｍ以下のステンレス鋼板を折曲して，上記折曲部２４の室内側でこれに重合する，例えば１ｃｍ程度幅の重合片と該重合片から室外側に向けて突出した，１ｃｍ程度の幅にして先端を気密材受溝２３内にハゼ折することによって危険防止措置を施した上記起立条２６を一体成形して備えたものとしてある。
【００２２】
新設ドア枠２０は，その既設ドア枠１０の上記改装部位に対して，上記溶着によって枠組みしたものを内嵌配置し，上記断面Ｌ字状補助部材２５の重合片を，上記起立条２６を既設ドア枠１０の室内側見込面１４からドア枠開口側に突出しないようにその見込面１４と面一乃至，仮に突出しても突出幅を極く僅かとするように，既設ドア枠１０のドア受段部１３と折曲部２４間，本例にあっては該ドア受段部１３側に配置したライナー２９と折曲部２４間に挿入して気密材受溝２３を形成するとともに該気密材受溝２３に新設ドア３０の室内側外周と対接して気密性を確保する気密材２８を同一面をなすように一連に装着するものとしてあり，これによって新設ドア枠２０の既設ドア枠１０の被覆固定に際して該既設ドア枠１０のドア枠開口，即ち有効開口をそのまま維持して新設ドア３０との高度な気密性を確保したドア枠改装をなし得るようにしてある。
【００２３】
上記新設ドア枠２０の内嵌配置は，各枠の被覆見込面２２を既設ドア枠１０の室外側見込面１２に，気密材受溝２３，本例にあっては上記折曲部２４をドア受段部１３に直付け又はライナー２９を介して，例えばネジ止め固定することによってその設置を行ってある。本例にあっては既設ドア枠１０の歪み等の変形を吸収するように適宜箇所のライナー２９を介して，新設ドア枠２０側から所定ピッチでネジを既設ドア枠１０乃至その内側のモルタル層に螺入して，その上記ネジ止め固定を行ってあり，このとき被覆見付面２２は，新設ドア３０の厚さに対応して該新設ドア３０が新設ドア枠２０から室外側に突出しないように，既設ドア枠１０の室外側見付面１１から離隔して室外側に，１ｃｍ程度，例えば１２〜１３ｍｍ突出するように配置してあり，これによって厚さを標準的とした新設ドア３０を使用可能として，該新設ドア３０による断熱性，防音性を高度に確保し得るものとしてある。
【００２４】
図５は，戸先側縦枠の新設ドア枠２０における断面形状を部分的に変更して，その室外側の被覆見付面２１と被覆見込面２２間の室外側に段部２７を配置し，新設ドア枠２０に吊り支持する新設ドア３０が，その室外側に設置した突出戸先を有するときに，これを受入れ可能とした例であり，その余は上記のものと同じく形成してあり，従って同一符号を付して重複する説明を省略する。
【００２５】
このように形成した新設ドア枠２０を用いた改装ドア枠Ａには，上記新設ドア３０を吊り支持することによってドア改装の工事を完了するようにすればよく，このとき該新設ドア３０の吊り支持は，例えばヒンジ３１を既設ドア枠１０の裏面に位置する既存の裏板に対して，該新設ドア枠１０の吊元側縦枠を介してネジ止め固定するようにして，新設ドア３０の荷重を安定支持するように行い，また新設ドア３０の施錠は，例えば新設ドア枠２０の戸先側縦枠に設けた施錠開口から，既設ドア枠１０の，必要に応じてこれを切欠き形成する等したストライク受の受孔に対して鎌錠を係脱自在に係合してこれを行うようにしてあり，これによりドア改装に係る新設ドア３０が高度な防犯性を備えたものしてある。
【００２６】
図示した例は以上のとおりとしたが，上記新設ドア枠の気密材受溝を，該新設ドア枠の室内側先端を折曲した折曲部と，該折曲部の先端を室外側に向けて折曲した上記起立条とを備えて新設ドア枠と一体成形したものとすること等を含めて，本発明の実施に当って，既設ドア枠，新設ドア枠，その気密材受溝，起立条，必要に応じて用いる被覆見付面，被覆見込面，ライナー，断面Ｌ字状補助部材等の各具体的構造，形状，材質，これらの関係，これらに対する付加等は，上記発明の要旨に反しない限り様々な形態のものとすることができる。
【図面の簡単な説明】
【００２７】
【図１】改装ドアの室外側正面図である。
【図２】改装ドアの縦断面図である。
【図３】改装ドアの横断面図である。
【図４】既設ドア枠と新設ドア枠の関係を示す分解断面図である。
【図５】他の例に係る新設ドア枠を示す部分断面図である。
【符号の説明】
【００２８】
Ａ    改装ドア枠
１０  既設ドア枠
１１  室外側見付面
１２  室外側見込面
１３  ドア受段部
１４  室内側見込面
１５  室内側見付面
２０  新設ドア枠
２１  被覆見付面
２２  被覆見込面
２３  気密材受溝
２４  折曲部
２５  断面Ｌ字状補助部材
２６  起立条
２７  段部
２８  気密材
２９  ライナー
３０  新設ドア
３１  ヒンジ
【図１】
2008133693.tif 000003
【図２】
2008133693.tif 000004
【図３】
2008133693.tif 000005
【図４】
2008133693.tif 000006
【図５】
2008133693.tif 000007